(57)【要約】    【課題】耐擦傷性、外観及び飛行性能に優れたゴルフボール２の提供。    【解決手段】ゴルフボール２は、その表面に多数のディンプル８を備えている。このディンプル８は、環状凸面１４とボトム面１６とを備えている。環状凸面１４は、点Ｅ１において、ランド１０と連続している。環状凸面１４の断面形状は、実質的に円弧である。環状凸面１４の幅Ｗは、０．３０ｍｍ以上１．３０ｍｍ以下である。環状凸面１４の幅Ｗと直径Ｄｉとの比（Ｗ／Ｄｉ）は、０．０５以上０．５０以下である。環状凸面１４の曲率半径Ｒ１は、１．０ｍｍ以上２．０ｍｍ以下である。環状凸面１４の長さＬａと円１８の円周の長さＬｃとの比（Ｌａ／Ｌｃ）は、０．０５以上０．１０以下である。ボトム面１６は、碗状である。ボトム面１６は、点Ｅ２において環状凸面１４と連続している。【選択図】図４
2006158778.tif 000002
【特許請求の範囲】
【請求項１】
その表面に多数のディンプルを備えており、
このディンプルが、その幅が０．３０ｍｍ以上１．３０ｍｍ以下である環状凸面とこの環状凸面の内側に位置するボトム面とを有するディンプルを含むゴルフボール。
【請求項２】
その幅が０．３０ｍｍ以上１．３０ｍｍ以下である環状凸面とこの環状凸面の内側に位置するボトム面とを有するディンプルの数の、ディンプルの総数に対する比率が３０％以上である請求項１に記載のゴルフボール。
【請求項３】
上記環状凸面の幅Ｗとディンプル直径Ｄｉとの比（Ｗ／Ｄｉ）が０．０５以上０．５０以下である請求項１又は２に記載のゴルフボール。
【請求項４】
上記環状凸面の断面の曲率半径が１．０ｍｍ以上２．０ｍｍ以下である請求項１から３のいずれかに記載のゴルフボール。
【請求項５】
上記環状凸面の断面が円弧であり、この円弧の長さＬａとこの円弧を含む円周の長さＬｃとの比（Ｌａ／Ｌｃ）が０．０５以上０．１０以下である請求項１から４のいずれかに記載のゴルフボール。
【発明の詳細な説明】
【技術分野】
【０００１】
本発明は、ゴルフボールに関する。詳細には、本発明は、ゴルフボールのディンプルの改良に関する。
【背景技術】
【０００２】
ゴルフボールは、その表面に多数のディンプルを備えている。ディンプルは、飛行時のゴルフボール周りの空気の流れを乱し、乱流剥離を起こさせる。乱流剥離によって空気のゴルフボールからの剥離点が後方にシフトし、抗力が低減される。乱流剥離によってバックスピンに起因するゴルフボールの上側剥離点と下側剥離点との差が助長され、ゴルフボールに作用する揚力が高められる。このようなディンプルの役割は、「ディンプル効果」と称されている。優れたディンプルは、よりよく空気の流れを乱す。
【０００３】
ゴルフボールとゴルフクラブとのインパクト時には、ゴルフボールの表面がゴルフクラブのフェースラインで擦られる。これにより、ゴルフボールの表面が傷つく。この傷は、ゴルフボールの外観を著しく低下させる。ディンプルのエッジの近傍は応力が集中しやすいので、傷が生じやすい。
【０００４】
カバーの材質の改良によりゴルフボールの耐擦傷性を改善する試みが、なされている。特開２００３−７９７６４公報及び特開２００３−１６９８６２公報には、熱硬化性ポリウレタンが用いられ、耐擦傷性が改善されたゴルフボールが開示されている。
【特許文献１】特開２００３−７９７６４公報
【特許文献２】特開２００３−１６９８６２公報
【発明の開示】
【発明が解決しようとする課題】
【０００５】
耐擦傷性に重点がおかれたカバーには、打球感、生産性等の他の性能が劣る物も多い。カバーの材質のみに依存した耐擦傷性の改善には、限界がある。
【０００６】
ディンプルのエッジが丸められれば、インパクト時に応力が集中せず、傷付きが抑制されうる。しかし、エッジが大幅に丸められたディンプルでは、十分なディンプル効果が得られにくい。
【０００７】
本発明の目的は、耐擦傷性及び飛行性能に優れたゴルフボールの提供にある。
【課題を解決するための手段】
【０００８】
本発明に係るゴルフボールは、その表面に多数のディンプルを備えている。このディンプルは、その幅が０．３０ｍｍ以上１．３０ｍｍ以下である環状凸面と、この環状凸面の内側に位置するボトム面とを有する。
【０００９】
好ましくは、その幅が０．３０ｍｍ以上１．３０ｍｍ以下である環状凸面とこの環状凸面の内側に位置するボトム面とを有するディンプルの数の、ディンプルの総数に対する比率は、３０％以上である。
【００１０】
好ましくは、環状凸面の幅Ｗとディンプル直径Ｄｉとの比（Ｗ／Ｄｉ）は、０．０５以上０．５０以下である。
【００１１】
好ましくは、環状凸面の断面の曲率半径は、１．０ｍｍ以上２．０ｍｍ以下である。
【００１２】
環状凸面の断面が円弧である場合、この円弧の長さＬａとこの円弧を含む円周の長さＬｃとの比（Ｌａ／Ｌｃ）は、０．０５以上０．１０以下が好ましい。
【発明の効果】
【００１３】
このゴルフボールでは、環状凸面がエッジへの応力集中を抑制する。この環状凸面は、ディンプル効果を阻害しない。このゴルフボールは、耐擦傷性及び飛行性能に優れる。
【発明を実施するための最良の形態】
【００１４】
以下、適宜図面が参照されつつ、好ましい実施形態に基づいて本発明が詳細に説明される。
【００１５】
図１は、本発明の一実施形態に係るゴルフボール２が示された模式的断面図である。このゴルフボール２は、球状のコア４と、カバー６とを備えている。カバー６の表面には、多数のディンプル８が形成されている。ゴルフボール２の表面のうちディンプル８以外の部分は、ランド１０である。このゴルフボール２は、カバー６の外側にペイント層及びマーク層を備えているが、これらの層の図示は省略されている。
【００１６】
このゴルフボール２の直径は、４０ｍｍから４５ｍｍである。米国ゴルフ協会（ＵＳＧＡ）の規格が満たされるとの観点から、直径は４２．６７ｍｍ以上が好ましい。空気抵抗抑制の観点から、直径は４４ｍｍ以下が好ましく、４２．８０ｍｍ以下がより好ましい。このゴルフボール２の質量は、４０ｇ以上５０ｇ以下である。大きな慣性が得られるとの観点から、質量は４４ｇ以上が好ましく、４５．００ｇ以上が特に好ましい。ＵＳＧＡの規格が満たされるとの観点から、質量は４５．９３ｇ以下が好ましい。
【００１７】
コア４は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００１８】
コア４の架橋には、通常は共架橋剤が用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１９】
コア４のゴム組成物には、充填剤、硫黄化合物、老化防止剤、着色剤、可塑剤、分散剤等の各種添加剤が、必要に応じて適量配合される。ゴム組成物に、架橋ゴム粉末又は合成樹脂粉末が配合されてもよい。
【００２０】
コア４の直径は３０．０ｍｍ以上、特には３８．０ｍｍ以上である。コア４の直径は４２．０ｍｍ以下、特には４１．５ｍｍ以下である。コア４が２以上の層から構成されてもよい。
【００２１】
カバー６に好適なポリマーは、アイオノマー樹脂である。特に、α−オレフィンと炭素数が３以上８以下のα，β−不飽和カルボン酸との共重合体におけるカルボン酸の一部が金属イオンで中和されたものが好適である。好ましいα−オレフィンは、エチレン及びプロピレンである。好ましいα，β−不飽和カルボン酸は、アクリル酸及びメタクリル酸である。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。中和が、２種以上の金属イオンでなされてもよい。ゴルフボール２の反発性能及び耐久性の観点から特に好適な金属イオンは、ナトリウムイオン、亜鉛イオン、リチウムイオン及びマグネシウムイオンである。
【００２２】
アイオノマー樹脂に代えて、又はアイオノマー樹脂と共に、他のポリマーが用いられてもよい。他のポリマーとしては、熱可塑性樹脂スチレンエラストマー、熱可塑性ポリウレタンエラストマー、熱可塑性ポリアミドエラストマー、熱可塑性ポリエステルエラストマー及び熱可塑性ポリオレフィンエラストマーが例示される。
【００２３】
カバー６には、必要に応じ、二酸化チタンのような着色剤、硫酸バリウムのような充填剤、分散剤、酸化防止剤、紫外線吸収剤、光安定剤、蛍光剤、蛍光増白剤等が適量配合される。比重調整の目的で、カバー６にタングステン、モリブデン等の高比重金属の粉末が配合されてもよい。
【００２４】
カバー６の厚みは０．５ｍｍ以上、特には０．８ｍｍ以上である。カバー６の厚みは２．５ｍｍ以下、特には２．２ｍｍ以下である。カバー６の比重は０．９０以上、特には０．９５以上である。カバー６の比重は１．１０以下、特には１．０５以下である。カバー６が２以上の層から構成されてもよい。
【００２５】
図２は図１のゴルフボール２が示された拡大平面図であり、図３はその正面図である。図２及び図３から明らかなように、全てのディンプル８の平面形状は円形である。図２では、ゴルフボール２の表面が１０個の等価なユニットに区画された場合の１個のユニットにおいて、符号によってディンプル８の種類が示されている。このゴルフボール２は、直径が４．１０ｍｍであるディンプルＡと、直径が３．６０ｍｍであるディンプルＢと、直径が３．４０ｍｍであるディンプルＣと、直径が３．２０ｍｍであるディンプルＤとを備えている。ディンプルＡの個数は１３２個であり、ディンプルＢの個数は１８０個であり、ディンプルＣの個数は６０個であり、ディンプルＤの個数は６０個である。このゴルフボール２のディンプル８の総数は、４３２個である。
【００２６】
図４は、図１のゴルフボール２の一部が示された拡大断面図である。この図４には、ディンプル８の面積重心及びゴルフボール２の中心を通過する平面に沿った断面が示されている。図４における上下方向は、ディンプル８の深さ方向である。深さ方向は、ディンプル８の面積重心からゴルフボール２の中心へ向かう方向である。図４において二点鎖線１２で示されているのは、仮想球である。仮想球１２の表面は、ディンプル８が存在しないと仮定されたときのゴルフボール２の表面である。ディンプル８は、仮想球１２から凹陥している。ランド１０は、仮想球１２と一致している。このディンプル８は、環状凸面１４とボトム面１６とを備えている。
【００２７】
環状凸面１４は、点Ｅ１において、ランド１０と連続している。好ましくは、環状凸面１４は、点Ｅ１においてランド１０と接する。点Ｅ１は、ディンプル８のエッジである。エッジＥ１は、ディンプル８の平面形状を確定する。環状凸面１４は、外向きに凸である。環状凸面１４の断面形状は、実質的に円弧である。図４において矢印Ｒ１で示されているのは、環状凸面１４の曲率半径である。環状凸面１４が、楕円弧又は他の曲線から構成されてもよい。
【００２８】
ボトム面１６は、碗状である。ボトム面１６は、環状凸面１４のボトム側に位置している。ボトム面１６は、点Ｅ２において環状凸面１４と連続している。点Ｅ２は、環状凸面１４とボトム面１６との境界である。理論上は、環状凸面１４とボトム面１６とは、点Ｅ２において接することなく交差している。実際のゴルフボール２では、ペイントの流動等に起因して、点Ｅ２の近傍が若干丸められている。ボトム面１６は、内向きに凸である。ボトム面１６の断面形状は、実質的に円弧である。図４において矢印Ｒ２で示されているのは、ボトム面１６の曲率半径である。ボトム面１６の断面形状が、２以上の円弧の組み合わせから構成されてもよい。ボトム面１６の断面形状が、円弧以外であってもよい。
【００２９】
このディンプル８では、環状凸面１４が外向きに凸な局面なので、インパクト時におけるエッジＥ１近傍の応力集中が抑制される。このゴルフボール２では、傷が生じにくい。このゴルフボール２は、耐擦傷性に優れる。
【００３０】
このディンプル８に流れ込んだ空気は、まず環状凸面１４に沿って中心へと向かう。この空気の流れは、一方の境界Ｅ２によって乱される。空気はさらにボトム面１６に沿って流れ、他方の境界Ｅ２においても乱される。このディンプル８は、空気の流れをよく乱す。このゴルフボール２では、大きなディンプル８効果が得られる。このゴルフボール２は、飛行性能に優れる。
【００３１】
図４において両矢印Ｗで示されているのは、環状凸面１４の幅である。幅Ｗは、０．３０ｍｍ以上１．３０ｍｍ以下に設定される。幅Ｗが０．３０ｍｍ以上に設定されることにより、応力集中が抑制され、傷が防止される。この観点から、幅Ｗは０．３５ｍｍ以上が好ましく、０．５０ｍｍ以上がより好ましく、０．６０ｍｍ以上が特に好ましい。幅Ｗが１．３０ｍｍ以下に設定されることにより、成形時の脱型が円滑に行われうる。この観点から、幅Ｗは１．２０ｍｍ以下が好ましく、１．００ｍｍ以下がより好ましく、０．９０ｍｍ以下が特に好ましい。
【００３２】
図４において両矢印Ｄｉで示されているのは、ディンプル８の直径である。直径Ｄｉは、２．０ｍｍ以上６．０ｍｍ以下が好ましい。直径Ｄｉが２．０ｍｍ以上に設定されることにより、優れたディンプル効果が得られる。この観点から、直径Ｄｉは２．２ｍｍ以上がより好ましく、２．４ｍｍ以上が特に好ましい。直径Ｄｉが６．０ｍｍ以下に設定されることにより、実質的に球であるというゴルフボール２の特徴が維持される。この観点から、直径Ｄｉは５．８ｍｍ以下がより好ましく、５．６ｍｍ以下が特に好ましい。
【００３３】
幅Ｗと直径Ｄｉとの比（Ｗ／Ｄｉ）は、０．０５以上０．５０以下が好ましい。比（Ｗ／Ｄｉ）が０．０５以上に設定されることにより、応力集中が抑制され、傷が防止される。この観点から、比（Ｗ／Ｄｉ）は０．０６以上がより好ましく、０．１３以上が特に好ましい。比（Ｗ／Ｄｉ）が０．５０以下に設定されることにより、境界Ｅ２において空気がよりよく乱される。この観点から、比（Ｗ／Ｄｉ）は０．４０以下がより好ましく、０．３０以下が特に好ましい。
【００３４】
環状凸面１４の曲率半径Ｒ１は、１．０ｍｍ以上２．０ｍｍ以下が好ましい。曲率半径Ｒ１が１．０ｍｍ以上に設定されることにより、応力集中が抑制され、傷が防止される。この観点から、曲率半径Ｒ１は１．１ｍｍ以上がより好ましく、１．２ｍｍ以上が特に好ましい。曲率半径Ｒ１が２．０ｍｍ以下に設定されることにより、境界Ｅ２において空気がよりよく乱される。この観点から、曲率半径Ｒ１は１．９ｍｍ以下がより好ましく、１．７ｍｍ以下が特に好ましい。
【００３５】
環状凸面１４の断面形状が円弧でない場合は、点Ｅ１と、点Ｅ２と、点Ｅ１と点Ｅ２との中点とを通過する円弧が想定され、この円弧の曲率半径が環状凸面１４の曲率半径Ｒ１と見なされる。
【００３６】
ボトム面１６の曲率半径Ｒ２は、後述されるディンプル容積が最適となるように、適宜決定される。曲率半径Ｒ２は、３．０ｍｍ以上、特には５．０ｍｍ以上である。曲率半径Ｒ２は、２５．０ｍｍ以下、特には１５．０ｍｍ以下である。
【００３７】
図４において二点差線１８で示されているのは、環状凸面１４を含む円である。環状凸面１４の長さＬａと円１８の円周の長さＬｃとの比（Ｌａ／Ｌｃ）は、０．０５以上０．１０以下が好ましい。比（Ｌａ／Ｌｃ）が０．０５以上に設定されることにより、応力集中が抑制され、傷が防止される。この観点から、比（Ｌａ／Ｌｃ）は０．０６以上がより好ましい。比（Ｌａ／Ｌｃ）が０．１０以下に設定されることにより、境界Ｅ２において空気がよりよく乱される。この観点から、比（Ｌａ／Ｌｃ）は０．０９以下がより好ましい。
【００３８】
環状凸面１４が仮想球１２の外側に存在しないことが好ましい。これにより、インパクト時に環状凸面１４に応力が集中して環状凸面１４が傷つくことが、防止される。
【００３９】
ゴルフボール２が、環状凸面１４とボトム面１６とを有するディンプル８と、他のディンプルとを備えてもよい。他のディンプルとしては、シングルラジアスディンプル、ダブルラジアスディンプル等が挙げられる。他のディンプルとして、平面形状が非円形であるものが形成されてもよい。その幅が０．３０ｍｍ以上１．３０ｍｍ以下である環状凸面１４とボトム面１６とを有するディンプル８の数Ｎ１の、ディンプルの総数Ｎ２に対する比率は、３０％以上が好ましく、５０％以上がより好ましく、７０％以上が特に好ましい。比率が上記範囲に設定されることにより、傷が抑制され、かつ優れた飛行性能が得られる。比率は、理想的には１００％である。
【００４０】
本発明では、仮想球１２の表面積に対する全てのディンプル８の合計面積の比率は、占有率と称される。十分なディンプル効果が得られるとの観点から、占有率は７０％以上が好ましく、７２％以上がより好ましく、７４％以上が特に好ましい。占有率は、９０％以下が好ましい。図２及び図３に示されたゴルフボール２では、ディンプル８の合計面積は４６０２ｍｍ２である。このゴルフボール２の仮想球１２の表面積は５７２８ｍｍ２なので、占有率は８０．３％である。
【００４１】
本発明において「ディンプルの容積」とは、ディンプル８の輪郭を含む平面とディンプル８の表面とに囲まれた部分の容積を意味する。ディンプル８の総容積は、２５０ｍｍ３以上４００ｍｍ３以下が好ましい。総容積が２５０ｍｍ３以上に設定されることにより、ゴルフボール２のホップが抑制される。この観点から、総容積は２６０ｍｍ３以上がより好ましく、２７０ｍｍ３以上が特に好ましい。総容積が４００ｍｍ３以下に設定されることにより、ゴルフボール２のドロップが抑制される。この観点から、総容積は３９０ｍｍ３以下がより好ましく、３８０ｍｍ３以下が特に好ましい。
【００４２】
ディンプル８の最深部と仮想球１２との距離Ｆは、０．１０ｍｍ以上０．６０ｍｍ以下が好ましい。距離Ｆが０．１０ｍｍ以上に設定されることにより、ゴルフボール２のホップが抑制される。この観点から、距離Ｆは０．１３ｍｍ以上がより好ましく、０．１５ｍｍ以上が特に好ましい。距離Ｆが０．６０ｍｍ以下に設定されることにより、ゴルフボール２のドロップが抑制される。この観点から、距離Ｆは０．５５ｍｍ以下がより好ましく、０．５０ｍｍ以下が特に好ましい。
【００４３】
ディンプル８の総数は、２００個以上５００個以下が好ましい。総数がこの範囲に設定されることにより、優れたディンプル効果が得られる。この観点から、総数は２４０個以上がより好ましく、２６０個以上が特に好ましい。総数は４８０個以下がより好ましく、４６０個以下が特に好ましい。
【実施例】
【００４４】
以下、実施例によって本発明の効果が明らかにされるが、この実施例の記載に基づいて本発明が限定的に解釈されるべきではない。
【００４５】
［実施例１］
ポリブタジエン（ジェイエスアール社の商品名「ＢＲ−１１」）１００質量部、アクリル酸亜鉛２４．５質量部、酸化亜鉛１０質量部、硫酸バリウム１５質量部及びジクミルパーオキサイド０．８質量部を混練し、ゴム組成物を得た。このゴム組成物を共に半球状キャビティを備えた上型及び下型からなる金型に投入し、１６０℃で２０分間加熱して、直径が３８．１ｍｍのコアを得た。一方、アイオノマー樹脂（三井・デュポンポリケミカル社の商品名「ハイミラン１６０５」）５０質量部、他のアイオノマー樹脂（三井・デュポンポリケミカル社の商品名「ハイミラン１７０６」）５０質量部及び二酸化チタン３質量部を混練し、樹脂組成物を得た。上記コアを、内周面に多数の突起を備えた金型に投入し、コアの周囲に上記樹脂組成物を射出成形法により注入して、厚みが２．３ｍｍであるカバーを成形した。カバーには、突起の形状が反転した形状のディンプルが多数形成された。このカバーに塗装を施して、直径が４２．７ｍｍであり質量が約４５．４ｇである実施例１のゴルフボールを得た。このゴルフボールでは、コンプレッションは約８５であり、ディンプルの総容積は約３２０ｍｍ３である。このゴルフボールのディンプル仕様が、下記表１に示されている。このゴルフボールでは、すべてのディンプルが環状凸面を備えている。環状凸面の幅は、０．６０ｍｍである。
【００４６】
［実施例３及び４］
金型を変更してディンプルの仕様を下記の表１に示される通りとした他は実施例１と同様にして、実施例３及び４のゴルフボールを得た。実施例３のゴルフボールでは、ディンプルＡのみが環状凸面を備えており、ディンプルＢ、Ｃ及びＤの断面形状はシングルラジアスである。実施例４のゴルフボールでは、ディンプルＡ及びＢが環状凸面を備えており、ディンプルＣ及びＤの断面形状はシングルラジアスである。
【００４７】
［実施例２、５及び６並びに比較例１から２］
金型を変更して環状凸面の幅を下記の表１及び表２に示される通りとした他は実施例１と同様にして、実施例２、５及び６並びに比較例１から２のゴルフボールを得た。
【００４８】
［比較例３］
金型を変更してディンプルの仕様を下記の表２に示される通りとした他は実施例１と同様にして、比較例３のゴルフボールを得た。このゴルフボールでは、すべてのディンプルの断面形状はシングルラジアスである。
【００４９】
［耐擦傷性の評価］
上記スイングマシンに、サンドウエッジ（住友ゴム工業株式会社の商品名「ＸＸＩＯ」、シャフト硬度：Ｓ、ロフト角：５６°）を装着した。ヘッド速度が２１ｍ／ｓｅｃである条件でゴルフボールを打撃し、ゴルフボールの外観を目視で観察した。２０個のゴルフボールを観察し、ＡからＤのランク付けを行った。この結果が、下記の表１及び表２に示されている。Ａランクが最も好ましい。
【００５０】
［飛距離テスト］
ツルテンパー社のスイングマシンに、メタルヘッドを備えたドライバー（住友ゴム工業株式会社の商品名「ＸＸＩＯ」、シャフト硬度：Ｘ、ロフト角：９°）を装着した。ヘッド速度が４９ｍ／ｓｅｃであり、打ち出し角度がほぼ１１°であり、初期スピン速度がほぼ３０００ｒｐｍである条件でゴルフボールを打撃して、発射地点から静止地点までの距離を測定した。２０回の測定の平均値が、下記の表１及び表２に示されている。
【００５１】
【表１】
2006158778.tif 000003
【００５２】
【表２】
2006158778.tif 000004
【００５３】
表１及び表２に示されるように、実施例のゴルフボールは耐擦傷性及び飛行性能に優れている。この評価結果から、本発明の優位性は明らかである。
【産業上の利用可能性】
【００５４】
本発明は、ツーピースゴルフボールのみならず、ワンピースゴルフボール、マルチピースゴルフボール及び糸巻きゴルフボールにも適用されうる。
【図面の簡単な説明】
【００５５】
【図１】図１は、本発明の一実施形態に係るゴルフボールが示された模式的断面図である。
【図２】図２は、図１のゴルフボールが示された拡大平面図である。
【図３】図３は、図２のゴルフボールが示された正面図である。
【図４】図４は、図１のゴルフボールの一部が示された拡大断面図である。
【符号の説明】
【００５６】
２・・・ゴルフボール
４・・・コア
６・・・カバー
８・・・ディンプル
１０・・・ランド
１２・・・仮想球
１４・・・環状凸面
１６・・・ボトム面
【図１】
2006158778.tif 000005
【図２】
2006158778.tif 000006
【図３】
2006158778.tif 000007
【図４】
2006158778.tif 000008